(57)【要約】【課題】本発明は、過電圧がかかった場合においてパルストランスの絶縁耐圧に到達する前に沿面放電が起きることを防止し、それによりイーサネットポートの過電圧耐力を向上させるコネクタモジュールを提供することを目的とする。【解決手段】本発明は、通信機器を過電圧から保護するためのコネクタモジュールであって、絶縁物からなるプリント基板と、前記プリント基板の第１の面側又は前記第１の面の裏面である第２の面側に設けられたパルストランスと、前記プリント基板の前記第１の面上に設けられ、一次側リード線を介して前記パルストランスの一次側に接続された一次側プリント配線と、前記プリント基板の前記第２の面上に設けられ、二次側リード線を介して前記パルストランスの二次側に接続された二次側プリント基板とを備えたことを特徴とする。【選択図】図３
2014045082.tif 000002
【特許請求の範囲】
【請求項１】
通信機器を過電圧から保護するためのコネクタモジュールであって、
絶縁物からなるプリント基板と、
前記プリント基板の第１の面側又は前記第１の面の裏面である第２の面側に設けられたパルストランスと、
前記プリント基板の前記第１の面上に設けられ、一次側リード線を介して前記パルストランスの一次側に接続された一次側プリント配線と、
前記プリント基板の前記第２の面上に設けられ、二次側リード線を介して前記パルストランスの二次側に接続された二次側プリント基板と
を備えたことを特徴とするコネクタモジュール。
【請求項２】
前記パルストランスは、前記プリント基板上に設けられた絶縁物上に設けられていることを特徴とする請求項１に記載のコネクタモジュール。
【請求項３】
前記絶縁物は、絶縁性を有する接着剤であることを特徴とする請求項２に記載のコネクタモジュール。
【発明の詳細な説明】
【技術分野】
【０００１】
本発明は、イーサネット（Ｅｔｈｅｒｎｅｔ（登録商標））ポートを有する通信機器におけるパルストランスの放電防止用のコネクタモジュールに関する。
【背景技術】
【０００２】
従来の通信機器の過電圧保護方法について図１を用いて説明する。図１は、イーサネットポートを有する通信機器の構成を示す。図１には、イーサネットケーブル１１と、イーサネットポート１３を有するＲＪ４５コネクタ１２と、ＲＪ４５コネクタ１２にパターン配線１６を介して接続された過電圧保護用のパルストランス１４と、パルストランス１４にパターン配線１６を介して接続された制御用ＩＣ１５とを備えた通信機器１０が示されている。
【０００３】
図１に示されるように、通信機器１０は、イーサネットケーブル１１とイーサネットポート１３とを接続することにより外部の装置と接続される。イーサネットポート−ＴＥＬポート間に過電圧が印加された場合、パルストランス１４の絶縁耐圧により通信機器１０の制御用ＩＣ１５が保護される。
【先行技術文献】
【非特許文献】
【０００４】
【非特許文献１】「Ethernet用 SMD型パルストランス」、[online]、平成２３年６月３日、ＴＤＫ、Ｔｅｃｈ Ｊｏｕｒｎａｌ、［平成２４年８月９日検索］、インターネット＜ＵＲＬ：http://www.tdk.co.jp/techjournal/vol03_alt/TJ003_LAN_J_0603.pdf＞
【発明の概要】
【発明が解決しようとする課題】
【０００５】
図２を用いて、従来の通信機器においてイーサネットポートが過電圧で故障する例を示す。図２には、絶縁物からなるプリント基板２１と、プリント基板２１上に形成された一次側プリント配線２２及び二次側プリント配線２３と、一次側リード線２４を介して一次側プリント配線２２と接続され、二次側リード線２５を介して二次側プリント配線２３と接続されたパルストランス２６とを備えたコネクタモジュール２０が示されている。
【０００６】
雷等によってイーサネットポート−ＴＥＬポート間に過電圧が印加されると、パルストランス２６が有する絶縁耐圧により、パルストランス２６が絶縁破壊を起こすまでは制御用ＩＣ１５を保護することができる。
【０００７】
しかしながら、例えば、通信機器１０の形状の制約などによりパルストランス２６の１次側プリント配線２２と２次側プリント配線２３との間で絶縁に必要な距離を確保することができない場合がある。このような場合において、１次側プリント配線２２と２次側プリント配線２３との間に過電圧がかかると、パルストランス２６が絶縁破壊を起こす前に１次側プリント配線２２と２次側プリント配線２３との間などで沿面放電を起こすため、パルストランス２６の絶縁耐力を高めても、期待される絶縁性能を実現することができなかった。
【０００８】
本発明の目的は、過電圧がかかった場合においてパルストランスの絶縁耐圧に到達する前に沿面放電が起きることを防止し、それによりイーサネットポートの過電圧耐力を向上させるコネクタモジュールを提供することにある。
【課題を解決するための手段】
【０００９】
上記課題を解決するために、本発明の請求項１に記載のコネクタモジュールは、通信機器を過電圧から保護するためのコネクタモジュールであって、絶縁物からなるプリント基板と、前記プリント基板の第１の面側又は前記第１の面の裏面である第２の面側に設けられたパルストランスと、前記プリント基板の前記第１の面上に設けられ、一次側リード線を介して前記パルストランスの一次側に接続された一次側プリント配線と、前記プリント基板の前記第２の面上に設けられ、二次側リード線を介して前記パルストランスの二次側に接続された二次側プリント基板とを備えたことを特徴とする。
【００１０】
本発明の請求項２に記載のコネクタモジュールは、本発明の請求項１に記載のコネクタモジュールであって、前記パルストランスは、前記プリント基板上に設けられた絶縁物上に設けられていることを特徴とする。
【００１１】
本発明の請求項３に記載のコネクタモジュールは、本発明の請求項２に記載のコネクタモジュールであって、前記絶縁物は、絶縁性の接着剤であることを特徴とする。
【発明の効果】
【００１２】
本発明によると、プリント基板、接着剤等の絶縁物の絶縁耐圧を利用することにより、過電圧が加わった場合においてパルストランスの絶縁耐圧に到達する前に沿面放電が起きるのを防止し、イーサネットポートの過電圧耐力を向上させることができる。
【図面の簡単な説明】
【００１３】
【図１】従来の通信機器の過電圧保護方法を示す図である。
【図２】イーサネットポートが過電圧で故障する例を示す図である。
【図３】本発明の実施例１に係るコネクタモジュールの構成を示す図である。
【図４】本発明の実施例２に係るコネクタモジュールの構成を示す図である。
【発明を実施するための形態】
【００１４】
（実施例１）
図３は、通信機器のイーサネットポートを過電圧から保護するための、本発明の実施例１に係るコネクタモジュールを示す。図３に示されるように、コネクタモジュール３０は、絶縁物からなるプリント基板３１と、プリント基板３１の第１の面上に設けられた一次側プリント配線３２と、プリント基板３１の第１の面の裏面である第２の面上に設けられた二次側プリント配線３３と、一次側リード線３４を介して一次側プリント配線３２と接続され、二次側リード線３５を介して二次側プリント配線３３と接続されたパルストランス３６とを備える。一次側プリント配線３２及び一次側リード線３４はパルストランス３６の一次側に接続され、二次側プリント配線３３及び二次側リード線３５はパルストランス３６の二次側に接続されている。
【００１５】
図３に示されるように、本発明の実施例１に係るコネクタモジュール３０においては、一次側プリント配線３２及び一次側リード線３４と、二次側プリント配線３３及び二次側リード線３５とが、それぞれ、プリント基板３１の第１の面と第１の面と反対側の第２の面、すなわちプリント基板３１の異なる面上に配置されている。
【００１６】
このように、一次側と二次側の配線がプリント基板３１の異なる面上に設けられていることにより、過電圧が加わった場合であっても、一次側プリント配線３２と二次側プリント配線３３との間にあるプリント基板３１の絶縁耐圧によって沿面放電を防止することができる。それにより、パルストランス３６の絶縁耐圧に到達する前に沿面放電が起きることを防止することができ、イーサネットポートの過電圧耐力を向上させることができる。
【００１７】
（実施例２）
図４は、通信機器のイーサネットポートを過電圧から保護するための、本発明の実施例２に係るコネクタモジュールを示す。図４に示されるように、コネクタモジュール４０は、絶縁物からなるプリント基板４１と、プリント基板４１の第１の面上に設けられた一次側プリント配線４２と、プリント基板４１の第１の面の裏面である第２の面上に設けられた二次側プリント配線４３と、一次側リード線４４を介して一次側プリント配線４２と接続され、二次側リード線４５を介して二次側プリント配線４３と接続されたパルストランス４６と、プリント基板４１上に設けられた絶縁物４７とを備える。パルストランス４６は、絶縁物４７上に設けられている。
【００１８】
このように、実施例に係るコネクタモジュール４０においては、一次側と二次側の配線がプリント基板３１の異なる面上に設けられていることに加え、パルストランス４６が絶縁物４７を介してプリント基板４１に設けられていることにより、プリント基板４１の絶縁耐圧に加えて、絶縁物４７の絶縁耐圧を利用して、沿面放電を防止することができる。それにより、過電圧が加わった場合であっても、パルストランス３６の絶縁耐圧に到達する前に沿面放電が起きることを防止することができ、イーサネットポートの過電圧耐力を向上させることができる。
【００１９】
絶縁物４７は、絶縁性を有する接着剤等を使用することが好ましい。
【００２０】
なお、上記実施例１及び２においては、パルストランス１４は、一次側プリント配線３２が設けられている第１の面側に設けられているが、二次側プリント配線３３が設けられている第２の面側に設けてもよい。
【符号の説明】
【００２１】
１０  通信機器
１１  イーサネットケーブル
１２  ＲＪ４５コネクタ
１３  イーサネットポート
１４、２６、３６、４６  パルストランス
１５  制御ＩＣ
１６  パターン配線
２０  従来のコネクタモジュール
２１、３１、４１  プリント基板
２２、３２、４２  一次側プリント配線
２３、３３、４３  二次側プリント配線
２４、３４、４４  一次側リード線
２５、３５、４５  二次側リード線
４７  絶縁物
【図１】
2014045082.tif 000003
【図２】
2014045082.tif 000004
【図３】
2014045082.tif 000005
【図４】
2014045082.tif 000006